(57)【要約】  本発明は、収録されたコンテンツの不法的な複写を防止するための複写防止情報を含む、ＢＤ−ＲＯＭのような高密度及び／または再生専用の記録媒体のような記録媒体と、その記録媒体を形成して、データを記録してまた再生する方法と装置を提示する。【選択図】図８
2007503677.tif 000002
【特許請求の範囲】
【請求項１】
データが記録された記録媒体において、
情報領域を含むが、
前記情報領域は前記記録されたデータのための第１領域とデータ記録または前記記録されたデータの再生を制御するための情報のための第２領域を含んで、
前記第２領域はデータユニットを含んで、
前記データユニットは直列形態でエンコーディングされた第１データを有する第１部分とバイフェーズ変調によりウォブル形態でエンコーディングされた前記情報を有する第２部分を含む、記録媒体。
【請求項２】
前記情報は前記記録媒体の前記情報領域のリードインゾーンに記録されている、請求項１に記載の記録媒体。
【請求項３】
前記情報は前記記録媒体の前記情報領域のＰＩＣ（Ｐｅｒｍａｎｅｎｔ  Ｉｎｆｏｒｍａｔｉｏｎ  ＆  Ｃｏｎｔｒｏｌ）データ領域に記録されている、請求項１に記載の記録媒体。
【請求項４】
前記情報は前記記録媒体の前記情報領域のＰＩＣデータ領域にディスク情報の一部として記録されている、請求項１に記載の記録媒体。
【請求項５】
前記第１部分の前記第１データは同期信号である、請求項１に記載の記録媒体。
【請求項６】
前記第２部分は、前記情報のウォブル部分が後に従う所定長さの直列部分をさらに含む、請求項１に記載の記録媒体。
【請求項７】
データビットを含むチャネルビットの数は前記所定長さによって変わる、請求項６に記載の記録媒体。
【請求項８】
前記第２領域は複数のデータユニットを含むが、各データユニットは前記第１部分と第２部分を有する、請求項１に記載の記録媒体。
【請求項９】
前記情報は複数個の前記第２部分に含まれている、請求項８に記載の記録媒体。
【請求項１０】
前記記録されたデータはトラックに沿って形成された直列ピットで記録されている、請求項１に記載の記録媒体。
【請求項１１】
前記第１部分は直列ピットでエンコーディングされて、データフレームの開始を指し示すフレーム同期信号を含んで、前記第２部分は前記フレーム同期信号を有する前記第１部分の後段に位置するが、前記第２部分は直列ピットと、トラックの中心線から左側及び／または右側へ偏移しているウォブルピットでエンコーディングされている、請求項１１に記載の記録媒体。
【請求項１２】
ウォブルピットでエンコーディングされた前記情報と前記フレーム同期信号間の距離は、前記直列ピットにより生成されるＲＦ再生信号から前記フレーム同期信号を検出するまで必要となる時間に相応する距離よりもっと長い、請求項１１に記載の記録媒体。
【請求項１３】
前記直列ピットの長さと前記ウォブルピットの長さは、一つのビットに割り当てられたピットの数、前記フレーム同期信号の長さ、前記情報の長さ、そして前記直列ピットにより生成される前記フレーム同期信号を検出することに必要とする時間のうち少なくともいずれか一つに依存して決定される、請求項１１に記載の記録媒体。
【請求項１４】
前記情報は、複数のデータフレームにかけてブロックに分けられてあるが、各ブロックはウォブルピットの群（ａｒｒａｙ）に記録されている、請求項１１に記載の記録媒体。
【請求項１５】
前記情報は、前記直列ピットと前記ウォブルピットのうち少なくとも一つを含むピット列（ｔｒａｉｎ）により生成されるプッシュプル信号から検出される、請求項１１に記載の記録媒体。
【請求項１６】
住所ユニットは２個以上のデータフレームを含むが、前記記録媒体は２個以上の前記住所ユニットを含んで、前記情報は２個以上の前記住所ユニット内に記録されている、請求項１１に記載の記録媒体。
【請求項１７】
住所ユニットは２個以上のデータフレームを含むが、前記記録媒体は２個以上の前記住所ユニットを含んで、前記情報は一つの住所ユニット内に２回以上記録されている、請求項１１に記載の記録媒体。
【請求項１８】
記録媒体を形成（ｆｏｒｍ）する方法において、
データを保存するための第１領域を形成する段階；及び
データの記録または記録データの再生を制御するための情報を保存するための第２領域を形成する段階を含むが、
前記第２領域はデータユニットを含んで、
前記データユニットは直列形態でエンコーディングされた第１データを有する第１部分とバイフェーズ変調によりウォブル形態でエンコーディングされた前記情報を有する第２部分を含む、方法。
【請求項１９】
前記情報は前記記録媒体の前記情報領域のリードインゾーンに記録される、請求項１８に記載の方法。
【請求項２０】
前記情報は前記記録媒体の前記情報領域のＰＩＣデータ領域に記録される、請求項１８に記載の方法。
【請求項２１】
前記第１部分の前記第１データは同期信号である、請求項１８に記載の方法。
【請求項２２】
前記第２部分は、前記情報のウォブル部分が後に従う所定長さの直列部分をさらに含む、請求項１８に記載の方法。
【請求項２３】
データビットを含むチャネルビットの数は前記所定長さによって変わる、請求項２２に記載の方法。
【請求項２４】
前記第２領域は複数のデータユニットを含むが、各データユニットは前記第１部分と第２部分を有する、請求項１８に記載の方法。
【請求項２５】
前記情報は複数個の前記第２部分に含まれる、請求項２４に記載の方法。
【請求項２６】
前記記録データはトラックに沿って形成された直列ピットで記録されるが、前記第１部分は直列ピットでエンコーディングされて、データフレームの開始を指し示すフレーム同期信号を含んで、前記第２部分は前記フレーム同期信号を有する前記第１部分の後段に位置するが、前記第２部分は直列ピットと、トラックの中心線から左側及び／または右側へ偏移しているウォブルピットでエンコーディングされている、請求項１８に記載の方法。
【請求項２７】
ウォブルピットでエンコーディングされた前記情報と前記フレーム同期信号間の距離は、前記直列ピットにより生成されるＲＦ再生信号から前記フレーム同期信号を検出するまで必要となる時間に相応する距離よりもっと長い、請求項２６に記載の方法。
【請求項２８】
前記直列ピットの長さと前記ウォブルピットの長さは、一つのビットに割り当てられたピットの数、前記フレーム同期信号の長さ、前記情報の長さ、そして前記直列ピットにより生成される前記フレーム同期信号を検出することに必要とする時間のうち少なくともいずれか一つに依存して決定される、請求項２６に記載の方法。
【請求項２９】
前記情報は、複数のデータフレームにかけてブロックに分けられてあるが、各ブロックはウォブルピットの群（ａｒｒａｙ）に記録される、請求項２６に記載の方法。
【請求項３０】
住所ユニットは２個以上のデータフレームを含むが、前記記録媒体は２個以上の前記住所ユニットを含んで、前記情報は２個以上の前記住所ユニット内に記録される、請求項２６に記載の方法。
【請求項３１】
住所ユニットは２個以上のデータフレームを含むが、前記記録媒体は２個以上の前記住所ユニットを含んで、前記情報は一つの住所ユニット内に２回以上記録される、請求項２６に記載の方法。
【請求項３２】
記録媒体にデータを記録したり再生する方法において、
データの記録または記録データの再生を制御するための情報を検出する段階；及び
前記情報に基づいてデータの記録または再生を制御する段階を含むが、
前記情報は制御領域に含まれていて、前記制御領域はデータユニットを含み、前記データユニットは直列形態でエンコーディングされた第１データを有する第１部分とバイフェーズ変調によりウォブル形態でエンコーディングされた前記情報を有する第２部分を含む、方法。
【請求項３３】
前記検出段階は、前記記録媒体に存在するトラックに沿って形成されたピットから生成されたＲＦ再生信号からデータフレームの開始を指し示す第１データのフレーム同期信号を検出する過程を含む、請求項３２に記載の方法。
【請求項３４】
前記検出段階は、前記フレーム同期信号が利用可能な時点から決まった時間の後に成り立つ、請求項３３に記載の方法。
【請求項３５】
前記検出段階は、トラックの中心線からの左側と右側から反射されたビーム間の差により生成されたプッシュプル信号を組み合わせて前記組み合わされた値に基づいて出力データビットを作る過程を含む、請求項３２に記載の方法。
【請求項３６】
前記組合せはフレーム同期信号の検出から決まった時間の後に始まる、請求項３５に記載の方法。
【請求項３７】
前記組合せは、前記プッシュプル信号をサンプリングして、サンプリングされた値が、既に指定された組合時間周期の半分（ｈａｌｆ）間加えられて残りの半分の間符号が変わって加えられるようにする方式で前記サンプリングされた値を加えることである、請求項３５に記載の方法。
【請求項３８】
前記組合せは組み合わされた値に基づいてデータビットの値を決定する過程を含む、請求項３２に記載の方法。
【請求項３９】
前記決定は前記組み合わされた値の絶対値がしきい（ｔｈｒｅｓｈｏｌｄ）値を超過すれば有効なデータビットの値を出力する過程を含む、請求項３８に記載の方法。
【請求項４０】
前記出力されるビット値は、前記記録媒体に記録されたコンテンツの再生を制御するための前記情報の一部である、請求項３９に記載の方法。
【請求項４１】
記録媒体にデータを記録する方法において、
データを記録する段階；及び
記録される前記データの記録を制御するための情報を、制御領域に記録する段階を含むが、
前記制御領域はデータユニットを含み、前記データユニットは直列形態でエンコーディングされた第１データを有する第１部分とバイフェーズ変調によりウォブル形態でエンコーディングされた前記情報を有する第２部分を含む、方法。
【請求項４２】
記録媒体からデータを再生する装置において、
記録データの再生を制御するための情報を制御領域から検出するための検出部；及び
前記検出された情報に基づいて記録データの再生を制御するための制御部を含んで構成するが、
前記制御領域はデータユニットを含み、前記データユニットは直列形態でエンコーディングされた第１データを有する第１部分とバイフェーズ変調によりウォブル形態でエンコーディングされた前記情報を有する第２部分を含む、装置。
【請求項４３】
前記検出部は直列形態でエンコーディングされたフレーム同期信号をＲＦ信号により検出して、ウォブル形態でエンコーディングされた前記情報をプッシュプル信号により検出する、請求項４２に記載の装置。
【請求項４４】
前記検出部は、ＲＦ信号を受信するためのフレーム同期検出器とプッシュプル信号を受信するための帯域通過フィルターを含む、請求項４２に記載の装置。
【請求項４５】
前記検出部は前記ＲＦ信号を受信して前記ＲＦ信号内のフレーム同期信号の検出時に開始信号を生成するリセットタイマーをさらに含む、請求項４４に記載の装置。
【請求項４６】
前記検出部は外部クロック信号と遅れた開始信号を同期させるための基準（ｒｅｆｅｒｅｎｃｅ）タイミング（ｔｉｍｉｎｇ）信号を生成するためのタイミング生成器をさらに含む、請求項４５に記載の装置。
【請求項４７】
前記検出部は前記基準タイミング信号によって前記プッシュプル信号を積分するための積分器をさらに含む、請求項４６に記載の装置。
【請求項４８】
前記検出部は、前記タイミング生成器による前記基準タイミング信号に同期して前記積分器によるビット出力を検出して有効な場合にそのビット出力を出力するためのビット検出器をさらに含む、請求項４７に記載の装置。
【発明の詳細な説明】
【技術分野】
【０００１】
本発明は、複写防止情報及び／または制御情報を含む高密度光記録媒体、例えばＢＤ−ＲＯＭ（Ｂｌｕ−ｒａｙ  Ｄｉｓｋ  ＲＯＭ）のような記録媒体と、その記録媒体を形成して、記録して再生して、不法的に複写されたメディアの再生を制限する装置及び方法に関する。
【背景技術】
【０００２】
最近には、高画質のビデオデータと高音質のオーディオデータを記録保存することができる大容量の新しい高密度光ディスクである再記録可能なブルーレイディスク（ＢＤ−ＲＥ：Ｂｌｕ−ｒａｙ  Ｄｉｓｃ−Ｒｅｗｒｉｔａｂｌｅ）に対する規格化作業が進展していて近い未来に関連製品が開発され市場に発表されて商用化されることと期待される。
【０００３】
ＢＤ−ＲＥは、図１に示したように、クランピング領域と、トランジション領域及びＢＣＡ（Ｂｕｒｓｔ  Ｃｕｔｔｉｎｇ  Ａｒｅａ）領域、そしてリードイン領域（Ｌｅａｄ−Ｉｎ  Ａｒｅａ）が順番どおり存在し、ディスクの中心と外周には、データ領域（Ｄａｔａ  Ａｒｅａ）とリードアウト領域（Ｌｅａｄ−Ｏｕｔ  Ａｒｅａ）がそれぞれ存在するディスク構造を有する。
【０００４】
また、前記リードイン領域には、第１ガード（Ｇｕａｒｄ  １）領域とＰＩＣ（Ｐｅｒｍａｎｅｎｔ  Ｉｎｆｏｒｍａｔｉｏｎ  ＆  Ｃｏｎｔｒｏｌｄａｔａ）領域、そして第２ガード（Ｇｕａｒｄ  ２）領域と情報２（Ｉｎｆｏ  ２）と情報１（Ｉｎｆｏ  １）領域及びＯＰＣ（Ｏｐｔｉｍｕｍ  Ｐｏｗｅｒ  Ｃａｌｉｂｒａｔｉｏｎ）領域等が区分割り当てられているが、前記第１ガード領域とＰＩＣ領域は、事前にデータがあらかじめ記録されている領域（Ｐｒｅ−ｒｅｃｏｒｄｅｄ  ａｒｅａ）である反面、その残りのリードイン領域と、前記データ領域、そして前記リードアウト領域は、新しいデータが再記録される領域（Ｒｅｗｒｉｔａｂｌｅ  ａｒｅａ）である。
【０００５】
前記第２ガード領域は刻まれたＨＦＭ領域から前記再記録領域への転換のためのバッファリングゾーンとしても使われることができる。
【０００６】
そして、前記ＰＩＣ領域には、永久的に保存しなければならないディスクの主要一般情報が記録保存される領域であって、この情報はトラックのウォブル形状にＨＦＭ（Ｈｉｇｈ  Ｆｒｅｑｕｅｎｃｙ  Ｍｏｄｕｌａｔｅｄ）方式によりエンコーディングされても記録される。ウォブル形状へのデータエンコーディングは、図２に示したように、バイフェーズ変調（Ｂｉ−Ｐｈａｓｅ  Ｍｏｄｕｌａｔｅｄ）方式により変調して記録される。この変調方法では、０の値のビットは、ビットセルの開始点での遷移（ｔｒａｎｓｉｔｉｏｎ）により表現されて、１の値のビットは、ビットセルの開始点と中央での遷移により表現される。変調したビットは、図２に示したように、グルーブ（ｇｒｏｏｖｅ）の平均的な中心線から偏移（ｄｅｖｉａｔｅｄ）されてディスク上に記録されることができる。各ビットセルの長さは３６Ｔであることであり、ここでＴは前記再記録領域でのチャネルビットの長さに該当する。
【０００７】
一方、ＢＤ−ＲＥの開発と共に、それに対応する再生専用ディスクである再生専用ブルーレイ（Ｂｌｕ−ｒａｙ）ディスク（‘ＢＤ−ＲＯＭ’と称する）も現在関連企業間で論議されているが、このディスクは図３に示したように、インナー（Ｉｎｎｅｒ）領域、クランピング（Ｃｌａｍｐｉｎｇ）領域、トランジション（Ｔｒａｎｓｉｔｉｏｎ）領域、そして情報（Ｉｎｆｏｒｍａｔｉｏｎ）領域とリム（Ｒｉｍ）領域で構成されることができる。
【０００８】
情報領域内のデータ領域（Ｄａｔａ  Ｚｏｎｅ）に記録されるオーディオ／ビデオ（Ａ／Ｖ）ストリームのメインデータは、無断複写の防止のための複写防止情報（ＣＰＩ：Ｃｏｐｙ  Ｐｒｏｔｅｃｔｉｏｎ  Ｉｎｆｏｒｍａｔｉｏｎ）を用いて暗号化（Ｅｎｃｒｙｐｔｉｏｎ）されて記録されることができる。
【０００９】
そして、前記情報領域内のＰＩＣ領域には、ディスク類型のようなディスクに関する多様なディスク情報（ＤＩ：Ｄｉｓｃ  Ｉｎｆｏｒｍａｔｉｏｎ）が記録されることができ、データゾーンに暗号化したメインデータが記録された場合にはこれを解読するための情報である複写防止情報（ＣＰＩ）もここに記録される。
【００１０】
したがって、再生専用記録媒体を再生する光ディスク装置は、ディスク装着による初期サーボ動作遂行時、前記ＰＩＣ領域に記録された複写防止情報（ＣＰＩ）を検出した後、既にデータ領域に記録されたメインデータが暗号化されていれば、その複写防止情報を利用して復号化（Ｄｅｃｒｙｐｔｉｏｎ）して出力するようになる。
【発明の開示】
【発明が解決しようとする課題】
【００１１】
前記のような複写防止情報は再生専用記録媒体に収録された暗号化したコンテンツを保護するので、この情報はディスク複写のような方法によっては読まれないように記録されることが必要である。
【課題を解決するための手段】
【００１２】
例示的な実施形態で、本発明は、収録されたコンテンツの不法的な複写を防止するための複写防止情報を含む、ＢＤ−ＲＯＭのような高密度及び／または再生専用の記録媒体のような記録媒体と、その記録媒体を形成して、データを記録してまた再生する方法と装置を提示する。
【００１３】
例示的な実施形態で、本発明は、前記複写防止情報が記録された信号を検出するための一般的な方法によっては検出されないようにする、ＢＤ−ＲＯＭのような高密度及び／または再生専用の記録媒体のような記録媒体と、その記録媒体を形成して、データを記録してまた再生する方法と装置を提示する。
【００１４】
例示的な実施形態で、本発明は、コンテンツの不法的な複写を防止するためのエンコーディングされた複写防止情報を含む、ＢＤ−ＲＯＭのような高密度及び／または再生専用の記録媒体のような記録媒体と、その記録媒体を形成して、データを記録してまた再生する方法と装置を提示する。
【００１５】
例示的な実施形態で、本発明は、フェーズウォブルされた（ｗｏｂｂｌｅｄ）（またはジグザグされた（ｚｉｇｚａｇｇｅｄ））ピットにエンコーディングされた複写防止情報を含む、ＢＤ−ＲＯＭのような高密度及び／または再生専用の記録媒体のような記録媒体と、その記録媒体を形成して、データを記録してまた再生する方法と装置を提示する。
【００１６】
例示的な実施形態で、本発明は、トラックに沿って形成されたピットで記録されたデータを含んで、データフレームの開始を知らせるフレーム同期信号または他の信号が直列ピットにエンコーディングされていて、データフレームの開始を知らせる前記フレーム同期信号または他の信号の次に位置したデータセグメントが、トラックの中心線から左側及び／または右側へ偏ってあるウォブル（またはジグザグ）ピットにエンコーディングされている、ＢＤ−ＲＯＭのような高密度及び／または再生専用の記録媒体のような記録媒体と、その記録媒体を形成して、データを記録してまた再生する方法と装置を提示する。
【００１７】
例示的な実施形態で、本発明は、データフレームの開始を知らせる前記フレーム同期信号が直列ピットにエンコーディングされていて、前記フレーム同期信号の次に位置したデータセグメントが、トラックの中心線から左側及び／または右側へ偏ってあるウォブル（またはジグザグ）ピットにエンコーディングされている、ＢＤ−ＲＯＭのような高密度及び／または再生専用の記録媒体のような記録媒体と、その記録媒体を形成して、データを記録してまた再生する方法と装置を提示する。
【００１８】
例示的な実施形態で、本発明は、データがウォブルピットにエンコーディングされていて、データフレームの開始を知らせるフレーム同期信号はトラックに沿って形成されたピットにより生成されるＲＦ再生信号から検出されることができ、トラック中心線の左側と右側部分で反射されるビームの差から生成される一つまたはそれ以上のプッシュプル信号は与えられた時間の間組み合わされ、出力データビットの値は前記組み合わされた値に基づくようになる、ＢＤ−ＲＯＭのような高密度及び／または再生専用の記録媒体のような記録媒体と、その記録媒体を形成して、データを記録してまた再生する方法と装置を提示する。
【００１９】
例示的な実施形態で、本発明は、データがウォブルピットにエンコーディングされていて、データフレームの開始を知らせるフレーム同期信号または他の信号はトラックに沿って形成されたピットにより生成されるＲＦ再生信号から検出されることができ、トラック中心線の左側と右側部分で反射されるビームの差から一つまたはそれ以上のプッシュプル信号が生成され、組合時間と前記プッシュプル信号の符号を反転させるかさせないかを指し示すタイミング信号が生成され、前記プッシュプル信号は前記タイミング信号に基づいて組み合わされ、データビットの値は前記組み合わされた値に基づいた出力になる、ＢＤ−ＲＯＭのような高密度及び／または再生専用の記録媒体のような記録媒体と、その記録媒体を形成して、データを記録してまた再生する方法と装置を提示する。
【００２０】
例示的な実施形態で、本発明は、記録されたデータを含んで、情報領域を含み、前記情報領域は前記記録されたデータのための第１領域と、記録または記録データの再生を制御するための情報のための第２領域を含んで、前記第２領域はデータユニットを含んで、前記データユニットは直列形態でエンコーディングされた第１データを有する第１部分とバイフェーズ変調によりウォブル形態でエンコーディングされた前記情報を有する第２部分を含む記録媒体を提示する。
【００２１】
他の例示的な実施形態で、本発明は、データを保存するための第１領域を形成して、データの記録または記録データの再生を制御するための情報を保存するための第２領域を形成するが、前記第２領域はデータユニットを含んで、前記データユニットは直列形態でエンコーディングされた第１データを有する第１部分とバイフェーズ変調によりウォブル形態でエンコーディングされた前記情報を有する第２部分を含むようにする記録媒体の形成方法を提示する。
【００２２】
他の例示的な実施形態で、本発明は、データの記録または記録データの再生を制御するための情報を検出して、前記情報に基づいてデータの記録または再生を制御するが、前記情報は制御領域に含まれていて、前記制御領域はデータユニットを含み、前記データユニットは直列形態でエンコーディングされた第１データを有する第１部分とバイフェーズ変調によりウォブル形態でエンコーディングされた前記情報を有する第２部分を含む、記録媒体にデータを記録したり再生する方法を提示する。
【００２３】
他の例示的な実施形態で、本発明は、データを記録して、記録される前記データの記録を制御するための情報を制御領域に記録するが、前記制御領域はデータユニットを含み、前記データユニットは直列形態でエンコーディングされた第１データを有する第１部分とバイフェーズ変調によりウォブル形態でエンコーディングされた前記情報を有する第２部分を含む、記録媒体にデータを記録する方法を提示する。
【００２４】
他の例示的な実施形態で、本発明は、記録データの再生を制御するための情報を制御領域から検出するための検出部と、前記検出された情報に基づいて記録データの再生を制御するための制御部を含むが、前記制御領域はデータユニットを含み、前記データユニットは直列形態でエンコーディングされた第１データを有する第１部分とバイフェーズ変調によりウォブル形態でエンコーディングされた前記情報を有する第２部分を含む、記録媒体からデータを再生する装置を提示する。
【発明を実施するための最良の形態】
【００２５】
以下、本発明による高密度再生専用光ディスクとその記録媒体の複写防止情報記録／検出方法及び装置に対する例示的な実施形態に対して、添付した図面を参照しながら詳細に説明する。
【００２６】
本発明の実施形態による再生専用ブルーレイディスク（ＢＤ−ＲＯＭ）は、図３を参照しながら前述したように、インナー領域、クランピング領域、トランジション領域、そして情報領域とリム（Ｒｉｍ）領域のディスク構造を有する。
【００２７】
そして、前記情報領域内に区分割り当てられているＰＩＣ領域には、図４に示したように、ディスク一般情報であるディスク情報（Ｄｉｓｃ  Ｉｎｆｏｒｍａｔｉｏｎ）が記録されて共に、データ領域（Ｄａｔａ  Ｚｏｎｅ）に暗号化記録されたメインデータ、例えばＡ／Ｖストリームを復号化（Ｄｅｃｒｙｐｔｉｏｎ）のための解読情報である複写防止情報（ＣＰＩ）が含まれて記録されることができる。この複写防止情報は‘ＲＯＭ  Ｍａｒｋ（ＲＯＭマーク）’と呼ばれたりする。
【００２８】
この前記複写防止情報は、ピットパターンで記録された信号を再生するＲＦ信号検出方式では検出されないようにするために、ピットをウォブル（ｗｏｂｂｌｅ  ｏｒ  ｚｉｇｚａｇ）化させながらそのウォブルパターンにエンコーディングして記録されることもできる。
【００２９】
複写防止情報をウォブルピットに記録する方法の一つ例は図５のようだ。ＢＤ−ＲＯＭを製造（Ａｕｔｈｏｒｉｎｇ）する過程で、所定大きさ、例えば１６８ビットの復号化キー値であることがある複写防止情報を発生させて（Ｓ１０）、その複写防止情報を例えばスプレッドスペクトラムエンコーディング（Ｓｐｒｅａｄ  Ｓｐｅｃｔｒｕｍ  Ｅｎｃｏｄｉｎｇ）過程を経て（Ｓ１１）、そのエンコーディングされたデータビットによってピットのウォブルパターンを形成することによってウォブルパターンにエンコーディング記録するようになる（Ｓ１２）。
【００３０】
図６はデータビットがフェーズウォブルパターンにエンコーディングされた例示的なパターンとここからデータビットを検出する過程を例示したのである。
【００３１】
図６の例示的な実施形態で、複写防止情報を構成する一つのデータビットは６６Ｔのピット列の位相遷移、すなわち、トラック方向での左側または右側への偏移方向でエンコーディングする。位相遷移は３３Ｔのピット列で起こる。図６のように形成されたフェーズウォブルピットはピットによるＲＦ信号以外にウォブルピットによるプッシュプル信号も出力される。このプッシュプル信号を検出すればウォブルピットにエンコーディングされたデータビットを検出することができる。
【００３２】
このように、フェーズウォブルピット列にエンコーディングされた複写防止情報は、普通のＲＦ信号検出方式によっては検出が不可能になるので、複写防止情報に対する保安性を確保することができるようになる。フェーズウォブルピット列にエンコーディングされたデータビットを検出する例示的な方法に対しては、トラック上のフェーズウォブルピット列の例示的な記録フォーマットを説明した後詳細に後述する。
【００３３】
図７は、再生専用ブルーレイディスク（ＢＤ−ＲＯＭ）の例示的な論理的な（ｌｏｇｉｃａｌ）記録フォーマットを示したものである。ＢＤ−ＲＯＭのデータ記録単位である一つの物理的クラスター（Ｐｈｙｓｉｃａｌ  Ｃｌｕｓｔｅｒ）は、６４ＫＢｙｔｅの記録大きさを有することができ、１６個のアドレスユニット（Ａｄｄｒｅｓｓ  Ｕｎｉｔ）で構成されることができる。そして一つのアドレスユニットは、フレーム同期が前置されることができる３１個のデータフレーム（Ｄａｔａ  Ｆｒａｍｅ  ＃０〜＃３０）で構成されることができる。
【００３４】
ここで、各フレーム同期は物理的に３０Ｔのピット長さを有することができ、各データフレームは１、９０２Ｔのピット長さを有することができる。
【００３５】
図８は、図７のような例示的な記録フォーマットによってトラックに記録されるピット列に複写防止情報をウォブルピットでエンコーディング記録した例を示したものである。
【００３６】
図８の記録例に対して説明すると、一つのフレームは総１、９０２Ｔ（フレーム同期含む：１、９３２Ｔ）の長さを有することができるが、先に説明したように、一つのデータビットを６６Ｔのピット列の位相にエンコーディングする場合、２８ビットを記録することができる。２８ビットをフェーズウォブルピットで記録すれば５４Ｔ（＝１９０２−２８*６６）の長さが残るようになる。
【００３７】
したがって、一つのフレームで５４Ｔは直列ピット列（ｓｔｒａｉｇｈｔ  ｐｉｔｓ）で記録して、１８４８Ｔはフェーズウォブルピット列で記録されることもできる。
【００３８】
図８の記録例で、一つのフレームに７ニブル（＝２８ビット）が記録されるので、もしも、複写防止情報の長さが１６８ビットならば、６フレームの長さに複写防止情報が記録される。図８の例では、任意のアドレスユニットで二番目フレーム（Ｆｒａｍｅ  ＃１）から七番目フレーム（Ｆｒａｍｅ  ＃６）まで順番どおり２８ビットずつ分割された複写防止情報が記録された例であって、二番目フレームのフェーズウォブルピット列には‘６７３Ｆ９９５’の値が記録されている。
【００３９】
ＢＤ−ＲＯＭ上に記録されたデータの再生やデータの記録を制御するために使われる制御情報は、図８に例示されたようにＣＰＩが記録されることと等しく記録されることができる。
【００４０】
他の実施形態では、一つのデータビットを位相エンコーディングするためのピット列の長さを前の実施形態でのように６６Ｔにしないで他の値にすることもできる。
【００４１】
もしも、６８Ｔのピット列で一つのデータビットを位相エンコーディングすれば２８ビットをエンコーディングするためには総１９０４Ｔの長さが必要である。したがって、多くの実施形態の場合にフレーム同期信号の長さを３０Ｔから２８Ｔに減らして記録する。図９は上のようなパターンで記録する例示的な実施形態の場合にトラックに沿って記録されたのである。
【００４２】
ところが、図９の実施形態はフレーム同期信号の長さが短くなったことであるので同期信号の検出において不利に作用することもできる。したがって、他の実施形態で、フレーム同期信号の長さを３０Ｔそのまま置いて、一つのフレーム内のフェーズウォブルピット列に記録するデータビットを２４ビットにする。
【００４３】
このような例によれば、データビットの記録のために総１６３２Ｔ（＝２４*６８Ｔ）の長さが必要である。したがって、１９０２Ｔから２７０Ｔが残る。図１０はこのように記録した場合を例示したのである。図１０の実施形態では、複写防止情報が１６８ビットならば、７フレームに分けられて記録される。
【００４４】
先に説明したように、複写防止情報は一つのアドレスユニットにすべて記録されることができるので、いくつのアドレスユニットにかけて数回反復して記録されることもできる。また、一つのアドレスユニット内でも２回以上反復して記録されることもできる。
【００４５】
以下では、フェーズウォブルピットのウォブルパターンにエンコーディングされたデータビットを検出する例示的な方法を図１１と連係して詳細に説明する。
【００４６】
図１１は、本発明の実施形態によってフェーズウォブルピットのウォブルパターンにエンコーディングされたデータビットを検出する検出装置の構成を示したものである。
【００４７】
図１１の装置は、プッシュプル信号帯域を通過させるバンドパスフィルター２０、プッシュプル信号をサンプリングして累積する積分器２１、前記累積された値からデータビットを判断するビット検出器２２、ＲＦ信号からフレーム同期信号を検出してその検出時点に開始（ｓｔａｒｔ）信号を出力するリセットタイマー２３、そして前記開始信号を設定された一定時間遅延させて出力する遅延器２４、そして外部ＰＬＬで提供される、再生される信号と同期されたクロックを基準にしてタイミング信号を出力するタイミング生成器２５を含んで構成されている。
【００４８】
図１１の検出装置の実施形態は図８の実施形態で記録されたフェーズウォブルピットの、例示的なウォブルパターンに記録されたデータを検出するためのことであって、前記遅延器２４はリセットタイマー２３から出力される開始信号を入力クロック１１０を基準にして２８Ｔ遅延させて出力して、前記タイミング生成器２５は前記開始信号が印加されると入力クロック１１０を基準にして３３Ｔ毎にレベル反転される図６の矩形波６０を出力するようになる。
【００４９】
もしも、図１０のように記録されたフェーズウォブルピットの、例示的なウォブルパターンにエンコーディングされたデータを検出するための回路であれば、前記遅延器２４はリセットタイマー２３の開始信号を２４４Ｔ遅延して出力して、前記タイミング生成器２５は３４Ｔ毎にレベル反転される矩形波を出力するようになる。
【００５０】
図８のような例示的な記録パターンを有するＢＤ−ＲＯＭが挿入されてトラックから信号が検出されると、ピット列による高周波のＲＦ信号１０１（４分割フォトダイオードにより合算された信号）は前記リセットタイマー２３に印加されて、４分割フォトダイオードの左右側差し引き信号であるプッシュプル信号１０２は前記バンドパスフィルター２０に印加される。
【００５１】
まず、ＲＦ信号１０１は図８のデータフレーム８１を含む信号であるので、前記リセットタイマー２３はその信号からフレーム同期信号を検出する。フレーム同期信号が検出されるとその時点毎に開始信号を後段の遅延器２４に印加する。ところが、前記リセットタイマー２３がＲＦ信号からフレーム同期信号を検出するのに物理的に２６Ｔの時間が必要となる。したがって、前記リセットタイマー２３が後段の遅延器２４に開始を知らせる時点はフレーム同期信号から２６Ｔが遅れた時点（図８のｔ１、ｔ２、ｔ３、・・・）になる。
【００５２】
前記遅延器２４は開始信号を再び２８Ｔ遅延させて後段のタイミング生成器２５に印加する。この印加時点（図８のｔａ、ｔｂ、ｔｃ、・・・）が、トラックにフェーズウォブルピットがある場合には、直列ピット列からフェーズウォブルピットに転換される時点だ。
【００５３】
前記タイミング生成器２５は前記開始信号印加時点から入力クロック１１０をカウントしながら３３Ｔ毎にレベル遷移される矩形波である図６のタイミング信号６０を出力する。
【００５４】
一方、バンドパスフィルター２０に印加されたプッシュプル信号１０２はプッシュプル信号帯域以外のノイズが除去されて後段の積分器２１に印加される。この時印加される信号は図６の６１と同様の信号となる。すなわち、ピットパターンの左右偏りによってＤＣレベルが＋または−にバイアス（ｂｉａｓ）される低周波信号となる。
【００５５】
前記積分器２１は、前記のようなプッシュプル信号を図６でのように所定周期でサンプリングしながらそのサンプリング値を累積するようになるが、この時、前記タイミング信号６０のレベルが‘１’ならばサンプリングされた値をそのまま加えて、レベルが‘０’ならばサンプリングされた値の符号を転換して加えるようになる。すなわち、レベルが‘０’である時はサンプリングされた値が陰の値ならば陽の値に、陽の値ならば陰の値に変えて累積するようになる。
【００５６】
このような式で累積される値は後段のビット検出器２２に継続的に出力するようになるが、前記積分器２１から出力される信号は図６の６２のグラフと同様に変わるようになる。
【００５７】
最終段のビット検出器２２は前記タイミング信号６０が‘１’から‘０’へ遷移される時点に現在積分器２１から印加されている累積積分値を確認してその値がネガティブならばデータビット‘１’に、ポジティブ値であればデータビット‘０’に判断する。
【００５８】
もしも、累積積分値が既に設定された＋／−のしきい値（ｔｈｒｅｓｈｏｌｄ）を越えないと、ウォブルパターンではない直列ピット列から出力されるプッシュプル信号であるのでこの時は出力ビットが有効でないという信号（ｉｎｖａｌｉｄｓｉｇｎａｌ）を出力する。
【００５９】
一方、前記積分器２１は前記タイミング信号６０が‘１’から‘０’へ遷移される時点に現在累積されている値を零にして再び入力プッシュプル信号をサンプリングして累積する動作を遂行する。
【００６０】
前の例示的な実施形態で、タイミング信号６０が‘０’ならばサンプリング値の符号を変えて累積して、‘１’ならばサンプリング値をそのまま累積したが、回路設計上または位相エンコーディング方式によってこれは変わることができる。すなわち、‘１’ならば符号転換して累積して‘０’ならばそのまま累積することもできるものだ。
【００６１】
前記で説明した例示的な方式によって、ＲＦ信号からは検出されることができないようにフェーズウォブルピットにエンコーディングされた複写防止情報を検出することができるようになる。
【００６２】
前記で詳細に説明した、本発明の例示的な実施形態による高密度再生専用光ディスクとその記録媒体の複写防止情報記録／検出方法及び装置は、再生専用記録媒体に収録されたコンテンツの保護に必要な複写防止情報の検出を難しくすることによって収録されたコンテンツが不法的に他記録媒体に複写されて再生されることを防止することができる。
【００６３】
以上、前述した本発明の例示的な実施形態は、例示の目的のために開示されたものであって、当業者ならば、添付された特許請求範囲に開示された本発明の技術的思想とその技術的範囲内で、また他の多様な実施形態を改良、変更、代替または付加などが可能であることである。
【図面の簡単な説明】
【００６４】
【図１】従来の再記録可能なブルーレイディスク（ＢＤ−ＲＥ）に対するディスク構造を示したものである。
【図２】は再記録可能なブルーレイディスクのＰＩＣ領域に記録される高周波変調（ＨＦＭ）グルーブを示したものである。
【図３】再生専用ブルーレイディスク（ＢＤ−ＲＯＭ）に割り当てられている各領域を示したものである。
【図４】本発明の実施形態によって再生専用ブルーレイディスクのＰＩＣ領域に記録されたコンテンツ保護のための複写防止情報が記録された例を示したものである。
【図５】本発明の実施形態によって再生専用ブルーレイディスクに複写防止情報がウォブルパターンで記録される過程の例を概略的に示したのである。
【図６】本発明の実施形態によって、データビットがフェーズウォブルパターンにエンコーディングされたパターンとここからデータビットを検出する過程を例示したのである。
【図７】本発明の実施形態による、ブルーレイディスクの記録単位である物理的クラスターのデータ記録構造の例を示したものである。
【図８】トラックに記録されるピット列に複写防止情報をウォブルピットでエンコーディング記録した、本発明による一実施形態を示したものである。
【図９】トラックに記録されるピット列に複写防止情報をウォブルピットでエンコーディング記録した、本発明による他の実施形態を示したものである。
【図１０】トラックに記録されるピット列に複写防止情報をウォブルピットでエンコーディング記録した、本発明による更に他の実施形態を示したものである。
【図１１】本発明の実施形態によって、フェーズウォブルピットのウォブルパターンにエンコーディングされたデータビットを検出する検出装置の構成の例を示したものである。
【図１】
2007503677.tif 000003
【図２】
2007503677.tif 000004
【図３】
2007503677.tif 000005
【図４】
2007503677.tif 000006
【図５】
2007503677.tif 000007
【図６】
2007503677.tif 000008
【図７】
2007503677.tif 000009
【図８】
2007503677.tif 000010
【図９】
2007503677.tif 000011
【図１０】
2007503677.tif 000012
【図１１】
2007503677.tif 000013
【国際調査報告】
2007503677.tif 000014